(57)【特許請求の範囲】
【請求項１】
勾配を有する屋根の上に太陽電池パネルを設置するためのパネル設置架台であって、
前記太陽電池パネルよりも前記屋根の頂上側に配置され、前記太陽電池パネルの前記屋根の頂上側の表面の端部を覆うように前記太陽電池パネルに固定される被覆板と、
前記被覆板の、前記屋根と対向する面に配置される支持部材と
を備え、
前記支持部材は、
前記支持部材の水平方向の中央付近に、前記屋根の頂上側から軒先側まで設けられた本体部と、
前記本体部の水平方向の両端から水平方向に延在する複数のアーム部とを有し、
前記本体部の水平方向の一端側に配置された前記アーム部と他端側に配置された前記アーム部とは、前記屋根の頂上側から軒先側の方向において互い違いになるように配置され、
少なくとも前記本体部は、前記屋根の頂上側の厚さよりも軒先側の厚さのほうが厚く形成されている
パネル設置架台。
【請求項２】
前記被覆板は、前記屋根において水平方向に連続して複数配置され、
隣接する前記被覆板の境界を覆うように前記被覆板の上に配置される境界被覆板をさらに備える
請求項１に記載のパネル設置架台。
【請求項３】
請求項１または２に記載のパネル設置架台を有し、
前記パネル設置架台は、太陽電池パネルが載置される板金を備え、
前記板金上に前記太陽電池パネルが設置されている
太陽電池装置。
【発明の詳細な説明】
【技術分野】
【０００１】
本開示は、勾配を有する屋根の上に太陽電池パネルを設置するためのパネル設置架台に関する。
【背景技術】
【０００２】
太陽電池パネルを家屋の屋根に設置する方法には様々な方法が採用されている。例えば、傾斜屋根の場合には、屋根瓦の上から設置する方法が採用されている。この方法は、必要なところだけ屋根の上に設置架台を取り付けて太陽電池パネルを設置するものである。したがって、既存の家屋の屋根に太陽電池パネルを設置する場合には、この方法は簡便である。また、平らな屋根に太陽電池パネルを設置する場合には、太陽の向きに合わせて角度調整が可能な架台を設ける方法により、設置されている。
【０００３】
さらに、近年では、屋根の上に瓦を葺く代わりに板金を敷設し、その上に太陽電池パネルを設置するための固定装置を設ける方法が採用されている。このような設置方法は、設置後の意匠性の観点から、ハウスメーカーをはじめとして採用拡大の一途を辿っている（例えば、特許文献１参照）。
【先行技術文献】
【特許文献】
【０００４】
【特許文献１】特開２０１３−５３４３２号公報
【発明の概要】
【発明が解決しようとする課題】
【０００５】
積雪地域では、棟側（頂上側）の屋根において、居住空間の暖気によって生じた雪解け水が温度の低い軒先側で再度凍結し、それがダムとなって棟側の雪解け水をせき止め、屋根材のすき間に浸入し雨漏りを引き起こす現象（すが漏れ）が知られている。
【０００６】
上述したように、屋根の上に瓦を葺く代わりに板金を敷設し、その上に太陽電池パネルを設置する方法では、棟側よりも軒先側の屋根に太陽電池パネルの多くが設置されるため、軒先側には棟側の居住空間の暖気が伝わりにくく、冷えやすい環境となる。また、最も棟側に配置された太陽電池パネルでは、屋根面と太陽電池パネルとの間に段差があるため、屋根の上に積雪した雪が屋根の頂上側から滑り落ちてこの段差に溜まりやすい。段差に溜まった雪が居住空間の暖気により解けると、屋根面と太陽電池パネルとの間に雪解け水が流入し、軒先側で再凍結する。この再凍結した根雪がダムとなって棟側の雪解け水をせき止めるため、すが漏れが生じ、これにより雨漏りが起こるおそれがある。
【０００７】
上述した課題に鑑み、本発明は、屋根面と太陽電池パネルとの間に雪解け水が流入し、軒先側で再凍結することにより生じるすが漏れを抑制することができる、パネル設置架台および太陽電池装置を提供することを目的とする。
【課題を解決するための手段】
【０００８】
本開示の一態様に係るパネル設置架台は、勾配を有する屋根の上に太陽電池パネルを設置するためのパネル設置架台であって、前記太陽電池パネルよりも前記屋根の頂上側に配置され、前記太陽電池パネルの前記屋根の頂上側の表面の端部を覆うように前記太陽電池パネルに固定される被覆板と、前記被覆板の、前記屋根と対向する面に配置される支持部材とを備え、前記支持部材は、前記支持部材の水平方向の中央付近に、前記屋根の頂上側から軒先側まで設けられた本体部と、前記本体部の水平方向の両端から水平方向に延在する複数のアーム部とを有し、前記本体部の水平方向の一端側に配置された前記アーム部と他端側に配置された前記アーム部とは、前記屋根の頂上側から軒先側の方向において互い違いになるように配置され、少なくとも前記本体部は、前記屋根の頂上側の厚さよりも軒先側の厚さのほうが厚く形成されている。
【発明の効果】
【０００９】
本開示によれば、屋根面と太陽電池パネルとの間に雪解け水が流入し再凍結することによりすが漏れが生じるのを抑制することができる。
【図面の簡単な説明】
【００１０】
【図１】実施の形態にかかるパネル設置架台を用いた太陽電池装置の構成を示す概略図
【図２】実施の形態にかかる被覆板の外観を示す斜視図
【図３】実施の形態にかかる支持部材の外観を示す斜視図
【図４】実施の形態にかかる支持部材の外観を示す平面図
【図５】実施の形態にかかる被覆板と支持部材との接合を示す斜視図
【図６】実施の形態にかかるパネル設置架台を屋根に設置したときの断面図
【図７】実施の形態にかかる被覆板および支持部材の配置の一例を示す図
【図８】実施の形態にかかる被覆板および支持部材の配置の他の例を示す図
【図９】実施の形態にかかる支持部材の形状の例を示す平面図
【図１０】実施の形態にかかる境界被覆板の使用例を示す図
【発明を実施するための形態】
【００１１】
以下、実施の形態について、図面を参照しながら具体的に説明する。
【００１２】
なお、以下で説明する実施の形態は、いずれも本開示の一具体例を示すものである。以下の実施の形態で示される数値、形状、材料、構成要素、構成要素の配置位置、接続形態、ステップ及びステップの順序などは一例であり、本開示を限定する主旨ではない。また、以下の実施の形態における構成要素のうち、最上位概念を示す独立請求項に記載されていない構成要素については、任意の構成要素として説明される。
【００１３】
（実施の形態１）
以下、実施の形態１について、図１〜図８を用いて説明する。
【００１４】
［１．太陽電池装置の構成］
図１は、本実施の形態にかかるパネル設置架台を用いた太陽電池装置の構成を示す概略図であり、（ａ）は屋根の上に配置されたパネル設置架台および太陽電池パネルの配置を示す図、（ｂ）はパネル設置架台１および太陽電池パネル３の一部を拡大した図である。
【００１５】
本実施の形態にかかるパネル設置架台１は、家屋などの屋根２に太陽電池パネル３を設置するための固定装置である。より詳細には、パネル設置架台１は、屋根２の上に瓦を葺く代わりに板金４６（図６参照）を敷設しその上に太陽電池パネル３を設置する工法を採用する場合に用いられる。
【００１６】
図１の（ａ）に示すように、太陽電池パネル３は、勾配を有する屋根の軒先側から頂上側への所定の幅の領域に複数行配置されている。
【００１７】
また、パネル設置架台１は、被覆板１０と、支持部材２０と、板金４６（図示せず）とを備えている。被覆板１０と支持部材２０は、図１の（ａ）に示すように、太陽電池パネル３よりも屋根２の頂上側に配置されている。そして、同図の（ｂ）に示すように、被覆板１０は、太陽電池パネル３の屋根の頂上側の表面の端部を覆うように太陽電池パネル３に固定されている。よって、屋根２と太陽電池パネル３との間の段差に溜まった雪が解けて屋根２と太陽電池パネル３との間に流入し、軒先側で再凍結することを抑制する。よって、すが漏れが生じるのを抑制することができる。
【００１８】
また、被覆板１０の屋根２と対向する面には、支持部材２０が配置されている。すなわち、支持部材２０は、被覆板１０と屋根２との間に設けられている。屋根２と被覆板１０との間に支持部材２０を設けるので、被覆板１０上の雪の荷重により被覆板１０が撓むのを抑制することができる。したがって、屋根の頂上側から滑り落ちた雪は、被覆板１０上に留まることなくスムーズに太陽電池パネル３の上面へと滑雪される。
【００１９】
なお、図１の（ａ）に示したように、パネル設置架台１に太陽電池パネル３が配置された装置を、太陽電池装置５という。この太陽電池装置５では、屋根２と太陽電池パネル３との間の段差に溜まった雪が解けて屋根２と太陽電池パネル３との間に流入し、軒先側で再凍結することを抑制する。よって、すが漏れが生じるのを抑制することができる。
【００２０】
［２．パネル設置架台の被覆板１０と支持部材２０の構成］
次に、パネル設置架台１の被覆板１０と支持部材２０の構成について説明する。パネル設置架台１は、図１の（ｂ）に示したように、被覆板１０と支持部材２０とを備えている。
【００２１】
はじめに、被覆板１０について説明する。図２は、本実施の形態にかかる被覆板の外観を示す斜視図である。なお、図２において、パネル設置架台１が屋根２に設置されたときの水平方向をＸ方向、屋根２の頂上側から軒先側に向かう方向をＹ方向、Ｘ方向およびＹ方向に直交する方向をＺ方向としている。
【００２２】
被覆板１０は、例えばガルバリウム鋼板を使用した一枚の板金で構成されている。被覆板１０の大きさは、例えば、Ｘ方向の幅が８００ｍｍ程度、Ｙ方向の幅が、４００ｍｍ程度である。なお、図２に示すように、被覆板１０は、一枚の板金を所定位置で折り曲げ、取付部１０ａと、傾斜部１０ｂと、当接部１０ｃと、折り曲げ部１０ｄとで構成されている。また、取付部１０ａには、被覆板１０を太陽電池パネル３に固定するためのねじ穴１５が設けられている。ねじ穴１５は、例えば、取付部１０ａに三箇所設けられている。
【００２３】
取付部１０ａは、太陽電池パネル３の屋根の頂上側の表面の端部を覆うように太陽電池パネル３の上に配置されている。取付部１０ａに設けられたねじ穴１５にはねじ４４（図６参照）が貫通され、取付部１０ａは太陽電池パネル３に固定される。
【００２４】
傾斜部１０ｂは、取付部１０ａに連続して設けられ、最も面積が大きい部分である。傾斜部１０ｂの裏面には、支持部材２０が配置される。すなわち、傾斜部１０ｂの裏面と支持部材２０とは接触する。
【００２５】
当接部１０ｃは、傾斜部１０ｂに連続して設けられ、取付部１０ａが太陽電池パネル３に固定されると、当接部１０ｃの裏面は、屋根２の表面と当接する。
【００２６】
折り曲げ部１０ｄは、当接部１０ｃに連続して設けられ、当接部１０ｃの表面側に向かって折り返された部分である。当接部１０ｃの一部と折り曲げ部１０ｄとは、パネル設置架台１が屋根２の上に配置されたときに屋根２の表面とスレート瓦の下との間に配置される。折り曲げ部１０ｄを設けることにより、折り曲げ部１０ｄが水返しとなり、太陽電池パネル３の下に設置された板金の下へ水が漏れることを抑制することができる。
【００２７】
次に、支持部材２０について説明する。図３は、本実施の形態にかかる支持部材の外観を示す斜視図である。図４は、本実施の形態にかかる支持部材の外観を示す平面図である。なお、図３および図４において、パネル設置架台１が屋根２に設置されたときの水平方向をＸ方向、屋根２の頂上側から軒先側に向かう方向をＹ方向、Ｘ方向およびＹ方向に直交する方向をＺ方向としている。図４において、（ａ）は支持部材２０をＺ方向から見た平面図、（ｂ）は支持部材２０を右側からＸ方向に見た平面図、（ｃ）は支持部材２０を軒先側からＹ方向に見た平面図である。
【００２８】
支持部材２０は、例えば、発泡スチロールで構成されている。支持部材２０は、図３に示すように、本体部２０ａと、複数のアーム部２０ｂ〜２０ｅとを有している。なお、支持部材２０は、発泡スチロールに限らず、他の材料で構成されてもよい。
【００２９】
本体部２０ａは、図４の（ａ）に示すように、支持部材２０のＸ方向の中央付近に、屋根２の頂上側から軒先側まで所定の幅で連続して設けられている。ここで、所定の幅とは、例えば同図の（ｃ）に示すように、Ｘ３の幅である。
【００３０】
また、複数のアーム部２０ｂ〜２０ｅは、本体部２０ａの水平方向の両端から、水平方向に延在している。すなわち、図３に示すように、アーム部２０ｂと２０ｃとは本体部２０ａの水平方向（図３におけるＸ方向）の一端側（例えば、左側）に、アーム部２０ｄと２０ｅとは本体部２０ａの水平方向の他端側（例えば、右側）に設けられている。また、アーム部２０ｂ、２０ｃ、２０ｄおよび２０ｅは、水平方向に延在している。また、パネル設置架台１が屋根２の上に設置されたときに、アーム部２０ｂは屋根２の頂上側に、アーム部２０ｅは屋根２の軒先側に配置される。
【００３１】
詳細には、図４の（ａ）に示すように、本体部２０ａの水平方向の一端側の頂上側には、Ｙ２の幅を有するアーム部２０ｂが配置されている。同じく本体部２０ａの水平方向の一端側には、アーム部２０ｂから軒先側にＹ３の間隔を置いて、Ｙ４の幅を有するアーム部２０ｃが設けられている。アーム部２０ｂと２０ｃは、同図の（ｃ）に示すように、本体部２０ａからＸ１の長さを有している。
【００３２】
また、本体部２０ａの水平方向の他端側の頂上側には、Ｙ４の幅を有するアーム部２０ｄが配置されている。アーム部２０ｄは、アーム部２０ｂと２０ｃとの間の空隙の位置に配置されるように設けられている。同じく本体部２０ａの水平方向の他端側には、アーム部２０ｃから軒先側にＹ６の間隔を置いて、Ｙ７の幅を有するアーム部２０ｅが設けられている。アーム部２０ｄと２０ｅは、図４の（ｃ）に示すように、本体部２０ａからＸ２の長さを有している。
【００３３】
よって、アーム部２０ｃは、アーム部２０ｄと２０ｅとの間の空隙の位置に配置され、アーム部２０ｄは、アーム部２０ｂと２０ｃとの間の空隙の位置に配置される。すなわち、アーム部２０ｂ、２０ｃ、２０ｄおよび２０ｅは、屋根２の頂上側から軒先側の方向に互い違いに設けられ、かつ、水平方向に延在している。
【００３４】
また、支持部材２０は、屋根２の上に配置されたときに、頂上側の厚さよりも軒先側の厚さのほうが厚くなるように形成されている。すなわち、図３に示すように、頂上側に配置されるアーム部２０ｂ側よりも、軒先側に配置されるアーム部２０ｅ側のほうが厚くなるように形成されている。このときの厚さは、例えば図４の（ｂ）に示すように、軒先側の厚さがＺ１、頂上側の厚さがＺ２である。なお、Ｚ１の厚さは、太陽電池パネル３の厚さとほぼ同一、または、太陽電池パネル３の厚さよりも厚いことが好ましい。
【００３５】
なお、図３では、支持部材２０全体の厚さを変更しているが、支持部材２０のうちの本体部２０ａの厚さのみを頂上側から軒先側へと厚く形成し、アーム部２０ｂ〜２０ｅの厚さを本体部２０ａの厚さよりも薄い一定の厚さとしてもよい。すなわち、支持部材２０のうちの少なくとも本体部２０ａの厚さを頂上側から軒先側へと厚く形成してもよい。
【００３６】
支持部材２０をこのような構成とすることにより、支持部材２０のアーム部２０ｂと２０ｃ、およびアーム部２０ｄと２０ｅとの間に、隣接する支持部材２０のアーム部２０ｄおよびアーム部２０ｃを配置することができる。よって、支持部材２０と組み合わせられる被覆板１０の大きさが大きい場合であっても、複数の支持部材２０を組み合わせることにより十分な強度で被覆板１０を支持することができる。また、複数の支持部材２０を組み合わせて支持部材２０全体の横幅を調整することができる。このように、複数の支持部材２０を組み合わせて使用することができるので、被覆板１０の大きさに合わせた複数の形状の支持部材を用意する必要がなく、コストを軽減することができる。
【００３７】
［３．パネル設置架台の設置方法］
次に、パネル設置架台１を屋根２に設置する工程について説明する。
【００３８】
パネル設置架台１の屋根２への設置は、被覆板と支持部材とが接合される工程と、被覆板と支持部材とが接合された後、屋根の上にパネル設置架台が配置される工程とを含む。
【００３９】
はじめに、被覆板１０と支持部材２０とが接合される工程について説明する。
【００４０】
図５は、本実施の形態にかかる被覆板と支持部材との接合を示す斜視図である。
【００４１】
上述のように、パネル設置架台１は、被覆板１０と支持部材２０とを備え、被覆板１０と支持部材２０とは、屋根２に設置される前に接合されて一体となっている。
【００４２】
詳細には、図５の（ａ）に示すように、支持部材２０の本体部２０ａの、被覆板１０と対向する面に、接着剤３０が塗布される。その後、位置合わせを行いながら、同図の（ｂ）に示すように、被覆板１０を支持部材２０に接合する。さらに、被覆板１０と支持部材２０とを接合した状態のパネル設置架台１を、屋根２の上に配置する。
【００４３】
被覆板１０と支持部材２０とが接合された後、屋根２の上にパネル設置架台１が配置されるので、支持部材２０が軽量素材で構成されていても、設置の際に支持部材２０が風で吹き飛ばされることがなく、安定した設置を行うことができる。
【００４４】
次に、被覆板１０と支持部材２０とが接合された後、屋根２の上にパネル設置架台１が配置される工程について説明する。
【００４５】
図６は、本実施の形態にかかるパネル設置架台を屋根に設置したときの断面図である。
【００４６】
パネル設置架台１を屋根２に設置する場合、はじめに、図６に示すように、板金４６を屋根２の野地板４０の上に設置する。板金４６の設置は、例えば、ねじ止めによって行われる。その後、上述のように、接合された被覆板１０と支持部材２０とが、太陽電池パネル３の頂上側の端部に配置される。このとき、複数の太陽電池パネル３の水平方向の端部に沿って、複数の被覆板１０および支持部材２０が配置される。被覆板１０は、太陽電池パネル３の頂上側の端部に、ねじ穴１５を介してねじ４４により固定される。
【００４７】
図７および図８は、本実施の形態にかかる被覆板および支持部材の配置の例を示す図である。
【００４８】
支持部材２０は、被覆板１０の大きさに合わせて配置することができる。
【００４９】
例えば、被覆板１０のＸ方向の幅が７９０ｍｍの場合には、図７に示すように、２つの支持部材２０が水平方向に並べて配置される。このとき、被覆板１０の水平方向の両側に隣接する被覆板１０との重なり部分は、隣接する被覆板１０に接合されている２つの支持部材２０を互い違いに組み合わせることができるので、重なり幅を調整することができる。また、２つの支持部材２０は、Ｌ２の間隔をおいて配置される。このような配置とすることにより、支持部材２０により被覆板１０が撓むのを抑制することができる。
【００５０】
また、被覆板１０のＸ方向の幅が１７３０ｍｍの場合には、図８に示すように、５つの支持部材２０が組み合わせられて配置される。このとき、隣接する支持部材２０のそれぞれでは、支持部材２０のアーム部２０ｂと２０ｃ、およびアーム部２０ｄと２０ｅとの間に、隣接する支持部材２０のアーム部２０ｄおよびアーム部２０ｃが配置される。このときの隣接する支持部材２０同士の重なり幅は、Ｌ４である。Ｌ４の大きさは、被覆板１０の大きさや、求められる強度により調整することができる。
【００５１】
なお、上述した被覆板１０の大きさは一例であって、被覆板１０は、上述した大きさ以外の大きさであってもよい。
【００５２】
その後、複数の被覆板１０および支持部材２０が配置されると、図６に示したように、被覆板１０の折り返し部１０ｄおよび当接部１０ｃの一部を覆うように、スレート瓦４２が配置される。被覆板１０は、頂上側の折り返し部１０ｄが吊り子で固定され、軒先側が太陽電池パネル３に固定される。
【００５３】
このように、パネル設置架台１を設けることにより、図６に示したように、屋根２の頂上側から軒先側へと滑り落ちてきた雪５０は、スレート瓦４２から被覆板１０へとスムーズに滑雪される。このとき、被覆板１０は支持部材２０で支持されているため、撓むことはない。したがって、被覆板１０の上に滑雪された雪５０は、太陽電池パネル３の上にスムーズに滑雪される。よって、屋根面と太陽電池パネルとの間の段差に溜まった雪が解けて屋根２と太陽電池パネル３との間に流入し、軒先側で再凍結することを抑制する。これにより、すが漏れが生じるのを抑制することができる。
【００５４】
なお、上述したパネル設置架台１では、複数の被覆板１０がＸ方向に重なり部分を有するように重ねて配置する構成としたが、複数の被覆板１０は、隣接する被覆板１０との間に隙間が生じない配置であればよく、Ｘ方向に重なり部分を有さない構成であってもよい。すなわち、隣接する被覆板１０の両端同士が接触している構成であってもよい。この場合、隣接する被覆板１０の境界から雪解け水が流入するのを抑制するために、隣接する被覆板１０の境界部分を他の被覆板で覆う構成としてもよい。このような構成については、後に詳述する。
【００５５】
［４．効果］
以上、本実施の形態にかかるパネル設置架台は、勾配を有する屋根の上に太陽電池パネルを設置するためのパネル設置架台であって、前記太陽電池パネルよりも前記屋根の頂上側に配置され、前記太陽電池パネルの前記屋根の頂上側の表面の端部を覆うように前記太陽電池パネルに固定される被覆板を備える。
【００５６】
この構成によれば、太陽電池パネルよりも屋根の頂上側に、太陽電池パネルの表面の端部を覆うように被覆板を備えるため、屋根面と太陽電池パネルとの間に段差はない。したがって、屋根の上に積雪した雪は屋根の頂上側から滑り落ちて屋根面から太陽電池パネルの上面へとスムーズに滑雪することができる。よって、屋根面と太陽電池パネルとの間の段差に溜まった雪が解けて屋根面と太陽電池パネルとの間に流入し、軒先側で再凍結することを抑制することができる。これにより、すが漏れが生じるのを抑制することができる。
【００５７】
また、前記被覆板は、前記屋根において水平方向に連続して複数配置され、隣接する前記被覆板の境界を覆うように前記被覆板の上に配置される境界被覆板をさらに備えてもよい。
【００５８】
この構成によれば、隣接する被覆板の境界から雪解け水が流入するのを抑制することができる。したがって、雪解け水が屋根面と太陽電池パネルとの間に流入し、軒先側で再凍結するのを抑制することができる。よって、すが漏れが生じるのを抑制することができる。
【００５９】
また、前記被覆板の、前記屋根と対向する面に配置される支持部材を備えてもよい。
【００６０】
この構成によれば、屋根面と被覆板との間に支持部材を設けるので、被覆板上の雪の荷重により被覆板が撓むことがない。したがって、屋根の頂上側から滑り落ちた雪は、被覆板上に留まることなくスムーズに太陽電池パネルの上面へと滑雪される。よって、雪解け水が屋根面と太陽電池パネルとの間に流入し、軒先側で再凍結することはなく、すが漏れが生じるのを抑制することができる。
【００６１】
また、前記支持部材は、前記支持部材の水平方向の中央付近に、前記屋根の頂上側から軒先側まで設けられた本体部と、前記本体部の水平方向の両端から水平方向に延在する複数のアーム部とを有し、前記本体部の水平方向の一端側に配置された前記アーム部と他端側に配置された前記アーム部とは、前記屋根の頂上側から軒先側の方向において互い違いになるように配置され、少なくとも前記本体部は、前記屋根の頂上側の厚さよりも軒先側の厚さのほうが厚く形成されていてもよい。
【００６２】
この構成によれば、支持部材のアーム部とアーム部との間に、隣接する支持部材のアーム部を配置することができるので、被覆板の大きさが大きい場合であっても、複数の支持部材により十分な強度で支持することができる。また、複数の支持部材を組み合わせて支持部材全体の横幅を調整することができる。よって、複数の支持部材を組み合わせて使用することができるので、被覆板の大きさに合わせた複数の形状の支持部材を用意する必要がなく、コストを軽減することができる。また、隣接する被覆板１０の重ね合わせ幅も調整することができるので、異なる大きさの被覆板１０を複数用意する必要がなく、コストを軽減することができる。
【００６３】
また、本開示の一態様に係る太陽電池装置は、上述した特徴を有するパネル設置架台を有し、前記パネル設置架台は、太陽電池パネルが載置される板金を備え、前記板金上に前記太陽電池パネルが設置されている。
【００６４】
この構成によれば、上述の特徴を有する太陽電池装置を提供することができる。
【００６５】
また、本開示の一態様に係るパネル設置架台の設置方法は、勾配を有する屋根の上に太陽電池パネルを設置するためのパネル設置架台の設置方法であって、前記パネル設置架台は、被覆板と支持部材とを備え、前記被覆板と前記支持部材とが接合される工程と、前記被覆板と前記支持部材とが接合された後、前記屋根の上に前記パネル設置架台が配置される工程とを含む。
【００６６】
この構成によれば、被覆板に支持部材が接合された後、屋根の上にパネル設置架台が配置されるので、支持部材が軽量素材で構成されていても、設置の際に風で吹き飛ばされることがなく、安定した設置を行うことができる。
【００６７】
（実施の形態１の変形例）
次に、実施の形態１の変形例について、図９を用いて説明する。
【００６８】
本変形例にかかる支持部材は、上述した実施の形態１に示した支持部材２０の形状に限らず、他の形状であってもよい。以下、本変形例にかかる支持部材１２０について説明する。図９は、本変形例にかかる支持部材の形状の例を示す平面図である。図９は、支持部材１２０を図３に示したＺ方向から見た平面図である。
【００６９】
支持部材１２０は、図９に示すように、本体部１２０ａと、複数のアーム部１２０ｂ〜１２０ｆとを有している。なお、支持部材１２０は、実施の形態１で示した支持部材２０と同様に発泡スチロールで構成されてもよいし、発泡スチロールに限らず他の材料で構成されてもよい。
【００７０】
また、支持部材１２０は、実施の形態１で示した支持部材２０と同様、本体部１２０ａを有している。また、支持部材１２０は、屋根２の上に配置されたときに、頂上側の厚さよりも軒先側の厚さのほうが厚くなるように形成されている。軒先側の厚さは、太陽電池パネル３の厚さとほぼ同一、または、太陽電池パネル３の厚さよりも厚いことが好ましい。
【００７１】
また、支持部材１２０の複数のアーム部１２０ｂ〜１２０ｆは、本体部１２０ａの水平方向の両端から、水平方向に延在している。すなわち、図９に示すように、アーム部１２０ｂと１２０ｃと１２０ｄとは本体部１２０ａの水平方向の一端側（例えば、左側）に、アーム部１２０ｅと１２０ｆとは本体部１２０ａの水平方向の他端側（例えば、右側側）に設けられている。また、アーム部１２０ｂ、１２０ｃ、１２０ｄ、１２０ｅおよび１２０ｆは、水平方向に延在している。また、パネル設置架台１が屋根２の上に設置されたときに、アーム部１２０ｂは屋根２の頂上側に、アーム部１２０ｄは屋根２の軒先側に配置される。
【００７２】
また、本体部１２０ａの水平方向の他端側の頂上側には、アーム部１２０ｅが配置されている。アーム部１２０ｅは、アーム部１２０ｂと１２０ｃとの間の空隙の位置に配置されるように設けられている。同じく本体部１２０ａの水平方向の他端側には、アーム部１２０ｅから軒先側に所定の間隔を置いて、アーム部１２０ｆが設けられている。
【００７３】
よって、アーム部１２０ｃは、アーム部１２０ｅと１２０ｆとの間の空隙の位置に配置され、アーム部１２０ｅは、アーム部１２０ｂと１２０ｃとの間の空隙の位置に配置され、アーム部１２０ｆは、アーム部１２０ｃと１２０ｄとの間の空隙の位置に配置される。すなわち、アーム部１２０ｂ、１２０ｃ、１２０ｄ、１２０ｅおよび１２０ｆは、互い違いに設けられ、かつ水平方向に延在している。
【００７４】
以上のように、支持部材においてアーム部の数、形状および配置位置は、上記したものに限らず、複数の支持部材を組み合わせて重なりを有するように配置することができる構成であれば、変更してもよい。例えば、本体部に対して一端側と他端側とでは、アーム部の数を同数にしてもよいし、異なる数にしてもよい。また、形状についても、アーム部の長さおよび幅を変更してもよい。例えば、一端側のアーム部の数を２つ、他端側のアーム部の数を１つにしてもよいし、一端側および他端側とも３つ以上のアーム部を設けてもよい。
【００７５】
（実施の形態２）
次に、実施の形態２について図１０を用いて説明する。図１０は、本実施の形態にかかる境界被覆板の使用例を示す図である。
【００７６】
本実施の形態にかかるパネル設置架台が実施の形態１にかかるパネル設置架台１と異なる点は、被覆板は、屋根の水平方向に連続して複数配置され、隣接する被覆板の境界を覆うように被覆板の上に配置される境界被覆板２１０をさらに備えている点である。
【００７７】
詳細には、図１０に示すように、複数の被覆板１０が隣接して配置され、これらの被覆板１０の両端同士は接触している。そして、隣接する被覆板１０の境界から雪解け水が流入するのを抑制するために、隣接する被覆板１０の境界部分を境界被覆板２１０で覆う構成とされている。
【００７８】
境界被覆板２１０は、図１０に示すように、被覆板１０とＹ方向の大きさがほぼ同一であり、Ｘ方向の幅が被覆板１０よりも小さく形成されている。境界被覆板２１０のＸ方向の幅は、例えば、被覆板１０の１／４程度の大きさである。
【００７９】
また、境界被覆板２１０は、被覆板１０と同様に例えばガルバリウム鋼板で構成され、一枚の板金を所定位置で折り曲げ、取付部２１０ａと、傾斜部２１０ｂと、当接部２１０ｃと、折り曲げ部２１０ｄとで構成されている。一枚の板金の折り曲げ角度は、被覆板１０の折り曲げ角度とほぼ同一である。
【００８０】
また、取付部２１０ａには、境界被覆板２１０を被覆板１０に固定するためのねじ穴２１５が設けられている。ねじ穴２１５は、例えば、取付部２１０ａに二箇所設けられている。
【００８１】
この構成によれば、隣接する被覆板の境界から雪解け水が流入するのを抑制することができる。したがって、雪解け水が屋根面と太陽電池パネルとの間に流入し、軒先側で再凍結するのを抑制することができる。よって、すが漏れが生じ、雨漏りが起こるのを抑制することができる。
【００８２】
なお、境界被覆板２１０は、上述のように、隣接する複数の被覆板１０の境界部分に設けられるだけでなく、太陽電池パネル３と被覆板１０との境界を覆うように設けられてもよいし、太陽電池パネル３同士の境界を覆うように設けられてもよい。
【００８３】
例えば、図１に示した太陽電池装置５では、太陽電池パネル３の配置数は行ごとに異なるため、太陽電池装置５の両端では、頂上側の太陽電池パネル３に対して軒先側の太陽電池パネル３のほうが水平方向の幅がはみ出した配置となり、はみ出した部分の太陽電池パネル３の一部と屋根２との間に段差が生じる。この場合に、はみ出した部分の太陽電池パネル３と屋根２との間に境界被覆板２１０を設けることにより、段差を解消して、屋根２から太陽電池パネル３へとスムーズに滑雪させることができる。
【００８４】
以上、本開示の実施の形態に係るパネル設置架台について説明したが、本開示は、この実施の形態に限定されるものではない。
【００８５】
例えば、上述した実施の形態では、支持部材の本体部に接着剤を塗布し、被覆板と支持部材の本体部とを接着する構成としたが、本体部の一部にのみ接着剤を塗布し、被覆板と本体部の一部とを接着する構成としてもよい。また、支持部材の本体部以外の部分に接着剤を塗布して被覆板と支持部材とを接着してもよい。
【００８６】
また、被覆板と支持部材とは予め接着されたものでなくても、例えば、複数の支持部材を組み合わせて配置した後、複数の支持部材の所定箇所に接着剤を塗布し、被覆板を配置してもよい。
【００８７】
また、被覆板の形状および大きさは、上述した形状および大きさに限らず、変更してもよい。また、支持部材の形状および大きさも、上述した形状および大きさに限らず、変更してもよい。
【００８８】
また、取付部に設けられたねじ穴の個数は、上述した個数に限らず、変更してもよい。
【００８９】
また、境界被覆板は、隣接する被覆板の境界に設けられてもよいし、太陽電池パネル同士の境界部分を覆うように設けてもよい。また、被覆板と太陽電池パネルとの境界部分を覆うように設けられてもよい。
【００９０】
また、本開示は、上述した実施の形態に限定されるものではない。本開示の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【００９１】
１  パネル設置架台
２  屋根
３  太陽電池パネル
５  太陽電池装置
１０  被覆板
１０ａ、２１０ａ  取付部
１０ｂ、２１０ｂ  傾斜部
１０ｃ、２１０ｃ  当接部
１０ｄ、２１０ｄ  折り返し部
１５、２１５  ねじ穴
２０、１２０  支持部材
２０ａ、１２０ａ  本体部
２０ｂ、２０ｃ、２０ｄ、２０ｅ、１２０ｂ、１２０ｃ、１２０ｄ、１２０ｅ、１２０ｆ  アーム部
３０  接着剤
４０  野地板
４２  スレート瓦
４４  ねじ
４６  板金
５０  雪
２１０  境界被覆板
【図１】
0006493856.tif 000002
【図２】
0006493856.tif 000003
【図３】
0006493856.tif 000004
【図４】
0006493856.tif 000005
【図５】
0006493856.tif 000006
【図６】
0006493856.tif 000007
【図７】
0006493856.tif 000008
【図８】
0006493856.tif 000009
【図９】
0006493856.tif 000010
【図１０】
0006493856.tif 000011